(57)【要約】  架橋されたゼラチン誘導体を含む粒子を含み、  該ゼラチン誘導体は下記式（１）で示される構造を含み、   ＧｌｔｎＮＨ−ＣＨＲ１Ｒ２                （１） 上式において、Ｇｌｔｎはゼラチン残基であり、Ｒ１は炭素数１〜１７のアルキル基であり、Ｒ２は水素原子又は炭素数１〜１７のアルキル基であり、該粒子の粒子径は１〜１０００μｍである、創傷被覆材。【特許請求の範囲】
【請求項１】
架橋されたゼラチン誘導体を含む粒子を含み、
該ゼラチン誘導体は下記式（１）で示される構造を含み、
ＧｌｔｎＮＨ−ＣＨＲ１Ｒ２                （１）
上式において、Ｇｌｔｎはゼラチン残基であり、Ｒ１は炭素数１〜１７のアルキル基であり、Ｒ２は水素原子又は炭素数１〜１７のアルキル基であり、
該粒子の粒子径は１〜１０００μｍである、
創傷被覆材。
【請求項２】
該ゼラチンが、ブタ又はスケトウダラ由来のゼラチンをアルカリ処理したものである、請求項１記載の創傷被覆材。
【請求項３】
該ゼラチンが低エンドトキシン化ゼラチンである、請求項２記載の創傷被覆材。
【請求項４】
該ゼラチン誘導体中のイミノ基／アミノ基（モル比）が２０／８０〜８０／２０である、請求項１〜３のいずれか１項記載の創傷被覆材。
【請求項５】
［１］上記式（１）で示される構造を含むゼラチン誘導体を調製する工程、
［２］該ゼラチン誘導体の溶液をスプレードライ又は固体状の該ゼラチン誘導体を機械的に粉砕して造粒する工程、及び
［３］造粒された粒子を１４０〜１６０℃で少なくとも３時間加熱する熱処理工程、
を含む請求項１〜４のいずれか１項記載の創傷被覆材の調製方法。
【発明の詳細な説明】
【技術分野】
【０００１】
本発明は創傷被覆材に関し、詳細には架橋されたゼラチン誘導体の粒子を含む創傷被覆材に関する。
【背景技術】
【０００２】
創傷被覆材は、「創傷被覆・保護材：滲出液の吸収、出血又は体液損失の抑制、及び擦過、摩擦、乾燥、汚染からの創傷の保護のために用いる親水性ポリマー製の局所管理創傷被覆・保護材」と定義されている（薬事法、医療機器クラス分類）。創傷被覆材としては、ガーゼ、ポリウレタンフォーム、ハイドロゲル等があり、これらはいずれも布帛形態である。【０００３】
創傷被覆材は、胃や大腸等の早期がんの治療法である内視鏡的粘膜下層剥離術（ＥＳＤ：Endoscopic Submucosal Dissection）においても使用され始めている。胃や大腸等の壁は粘膜層、粘膜下層、筋層という3つの層からできており、癌は最も内側の層である粘膜層から発生する。ＥＳＤでは、胃カメラや大腸カメラで消化管の内腔から粘膜層を含めた粘膜下層までを剥離して、病変を一括切除する。切除後の組織は、そのままにしておくと収縮して癒着等を起こし、消化管閉塞等の二次障害を起こす。そこで、該組織を生分解性の創傷被覆材で覆う。【０００４】
ＥＳＤ用の創傷被覆材には形状付与性、即ち傷口の形状に沿う柔軟性に加え、生分解性であること等が要求される。現在使用されているのは、ポリグリコール酸不織布（グンゼ（株）製、ＮＥＯＶＥＩＬ（登録商標））である。該ポリグリコール酸不織布は生分解性等に優れるが、組織への接着性が無いので、フィブリン系の接着剤によって該不織布を覆って固定しなければならない。しかし、該接着剤は高価であり、血液製剤であるため、汚染の危険性を完全に取り除くことができない。また、該不織布は適用部位で展開し難く、複雑な形状の部位での形状付与性に欠ける。さらに、生分解物であるポリグリコール酸オリゴマーが組織に炎症を起こす懸念もある。【０００５】
ゼラチンは生体適合性及び生分解性に優れることから種々の医療用途に使用されている。その粒子製剤としては、経動脈的塞栓療法の塞栓剤（特許文献１）、薬剤の徐放性担体（非特許文献１）が知られている。また、化学的に修飾されたゼラチンも医療用に開発されている。例えば、ゼラチンにイミノ基を介して疎水性基が結合され、湿潤組織に高い接着性を示す組織接着剤が知られている（特許文献２）。
【先行技術文献】
【特許文献】
【０００６】
【特許文献１】特開２０１０−８３７８８号公報
【特許文献２】特許第５９９５１２８号公報
【非特許文献】
【０００７】
【非特許文献１】Biometerials第21巻、第４８９−４９９頁、２０００年
【発明の概要】
【発明が解決しようとする課題】
【０００８】
本発明は、創傷部位の形状に合わせた適用が可能であり、湿潤部位への高い接着性を示す、生分解性の創傷被覆材を提供することを目的とする。
【課題を解決するための手段】
【０００９】
即ち、本発明は下記のものである：
架橋されたゼラチン誘導体からなる粒子を含み、
該ゼラチン誘導体は下記式（１）で示される構造を含み、
ＧｌｔｎＮＨ−ＣＨＲ１Ｒ２                （１）
上式において、Ｇｌｔｎはゼラチン残基であり、Ｒ１は炭素数１〜１７のアルキル基であり、Ｒ２は水素原子又は炭素数１〜１７のアルキル基であり、
該粒子の粒子径は１〜１０００μｍである、
創傷被覆材。
【発明の効果】
【００１０】
上記創傷被覆材は、ミクロンオーダーの粒子を含むので、噴霧等によって複雑な形状の創傷であっても、該形状に合わせて適用することができる。また、該粒子はアルキル基を有しており、湿潤組織にも高い接着性を有する。さらに、該粒子は、分散媒、及び架橋剤を使用せずに作ることもでき、これらの残留または分解による組織への悪影響を懸念することなく、組織に適用することができる。
【図面の簡単な説明】
【００１１】
【図１】図１は、ゼラチン誘導体粒子の電子顕微鏡（ＳＥＭ）画像である。
【図２】図２は、ゼラチン誘導体粒子の適用量による接着強度の変化を示すグラフである。
【図３】図３は、ゼラチン誘導体の１３Ｃ−ＮＭＲスペクトルである。
【図４】図４は、ゼラチン誘導体の２５００〜３５００ｃｍ−１のＦＴ−ＩＲスペクトルである。
【図５】図５は、スプレードライ後熱処理前の、ゼラチン誘導体粒子のＳＥＭ画像である。
【図６】図６は、熱処理時間を２０分〜３時間まで変えて、該熱処理直後の粒子を水に分散して観察した位相差顕微鏡写真である。
【図７】図７は、熱処理時間による粒子の生理食塩水への溶解性をコラゲナーゼの存在下での加速試験により調べたグラフである。
【図８】図８は、原料ゼラチンからスプレードライにより得られた粒子を１５０℃で熱処理したときの、消費されたアミノ基量を時間に対してプロットしたグラフである。
【図９】図９は、ゼラチン誘導体粒子の接着強度を示すグラフである。
【図１０】図１０は、ゼラチン（未処理）及びゼラチン誘導体（疎水化ゼラチン）粒子の水に対する接触角を示すグラフである。
【図１１】図１１は、ゼラチン誘導体粒子存在下でのＲＡＷ２６４細胞の生存率を示すグラフである。
【図１２】図１２は、ゼラチン誘導体粒子からなるフィルム上でのＣａｃｏ−２細胞の増殖挙動を示すグラフである。
【図１３】図１３は、ゼラチン誘導体粒子存在下での、ＲＡＷ２６４細胞のＩＬ−６産出量を示すグラフである
【図１４】図１４は、ラットの皮膚創傷上にゼラチン誘導体粒子を施与したときの創傷治癒過程の写真（上段）と創傷残存面積を示すグラフである（下段）。
【図１５】図１５は、ラットの皮膚創傷上にゼラチン誘導体粒子を施与して７日目の組織におけるα−平滑筋アクチン陽性部を示す写真（上段）と陽性面積を示すグラフ（下段）である。
【図１６】図１６は、ゼラチンとしてスケトウダラゼラチンを用い、機械的粉砕法で調製した粒子のＳＥＭ画像である。
【図１７】図１７は、機械的粉砕法で調製したタラゼラチン誘導体粒子の接着強度を示すグラフである。
【発明を実施するための形態】
【００１２】
＜ゼラチン誘導体＞
本発明において、ゼラチン誘導体は下記式（１）で示される構造を含む。
ＧｌｔｎＮＨ−ＣＨＲ１Ｒ２                （１）
上式において、「Ｇｌｔｎ」はゼラチン残基であり、Ｒ１は炭素数１〜１７のアルキル基であり、Ｒ２は水素原子又は炭素数１〜１７のアルキル基である。Ｎは、ゼラチン中の主としてリジン（Ｌｙｓ）のε−アミノ基由来である。好ましくは、Ｒ２が水素原子である。該式（１）のＮＨ構造は、例えばＦＴ‐ＩＲスペクトルにおいて３３００ｃｍ−１付近のバンドにより検出することができる。実施例７のゼラチン誘導体のＦＴ‐ＩＲスペクトルを図４に示す。
【００１３】
Ｒ２が炭素数１〜１７のアルキル基である場合、Ｒ１と同じでも互いに異なっていてもよい。該アルキル基は、分岐を有していてもよい。該アルキル基の例としては、メチル基、エチル基、プロピル基、ブチル基、ヘキシル基、オクチル基（又はカプリル基）、ノニル基（又はペラルゴルニル基）、デシル基、ドデジシル基（又はラウリル基）、テトラデシル基（又はミリスチル基）等が挙げられる。好ましくは、Ｒ１が炭素数１〜１１、より好ましくは炭素数１〜９の直鎖アルキル基であり、Ｒ２が水素原子である。
【００１４】
該ゼラチン誘導体中の誘導化率は、アルキル基が結合されたイミノ基の、原料ゼラチン中のアミノ基量に対するモル％で、２０〜８０モル％、好ましくは３０〜７０モル％である。言い換えれば、得られたゼラチン誘導体におけるイミノ基／アミノ基（モル比）は、２０／８０〜８０／２０であり、好ましくは３０／７０〜７０／３０である。該誘導化率は、原料ゼラチン中のアミノ基と、アルキル基を結合した後のアミノ基量を、２，４，６-トリニトロベンゼンスルホン酸法（ＴＮＢＳ法）によって定量することで、或いは、ＮＭＲ等によりアルキル基の同定及び定量を行うことによって求めることができる。
【００１５】
原料ゼラチンは、天然由来、合成、発酵又は遺伝子組換えにより得られるゼラチンのいずれであってもよく、好ましくはブタ、ウシ等の動物由来、スケトウダラ等の魚由来のゼラチンが使用される。また、酸処理ゼラチン、アルカリ処理ゼラチン、遺伝子組み換えゼラチンのいずれであってもよいが、好ましくはアルカリ処理ゼラチンであり、より好ましくは低エンドトキシン化ゼラチンである。また、該ゼラチンの分子量の範囲は、重量平均分子量（Ｍｗ）が３０，０００〜１５０，０００が好ましく、５０，０００〜１２０，０００であることがより好ましい。該分子量は、ゲル浸透クロマトグラフィー（ＧＰＣ）により定法に従い測定することができる。
【００１６】
＜粒子＞
図１は本発明における粒子の一例（実施例７）のＳＥＭ画像である。粒子が略真球状であることが分かる。粒子径は、略ミクロンオーダー、即ち１〜１０００μｍであり、１〜５０μｍのものが多く、最頻粒子径（モード径）は１０〜２０μｍである。粒子の適用箇所、適用手段に応じて、篩分け等により所定の粒径範囲を選択することができる。デリバリ性及び取り扱い性の観点からは、１〜２００μｍであることが好ましく、１〜５０μｍであることがより好ましい。本発明において粒子径は、ＳＥＭ画像解析により求めたが、レーザー回折法等によっても求めることができる。
【００１７】
粒子は、ゼラチン誘導体溶液をスプレードライした後、又は乾燥後に個体状のゼラチン誘導体を機械的に粉砕した後、熱架橋することによって得ることができ、スプレードライ法が好ましい。上記非特許文献１にあるように、ゼラチン水溶液をオリーブ油中に滴下して、油中水滴エマルジョンとしてゲル化した後、得られた粒子をグルタルアルデヒド水溶液中に加えて化学的に架橋する方法を用いることもできるが、スプレードライ法によれば、分散媒や硬化剤を使用しないので、これらの残留、または分解による毒性を懸念する必要が無い点、また分散媒の洗浄も不要であり、洗浄後の乾燥時における粒子間の凝集の懸念も無い点で、好ましい。
【００１８】
ゼラチン誘導体が架橋されていることは、粒子を水に分散させて溶解しないことを目視または位相差顕微鏡で観察することで確認できる。図６a〜eは、スプレードライにより得られた粒子（実施例７）を、減圧乾燥器に入れ、減圧下（＜１０Pa）、１５０℃で、熱処理時間を２０分〜３時間まで変えて、処理直後の粒子を水に分散して位相差顕微鏡で観察した顕微鏡写真である。熱処理無し（図６a）、処理時間２０分（図６ｂ）では粒子が水に溶解し、１時間（図６ｃ）では一部不溶解の粒子が確認され、２時間（図６ｄ）で多くの粒子が確認され、３時間（図６e）では２時間処理より若干多くの粒子が確認された。
【００１９】
上記１時間、３時間、又は６時間熱処理した粒子の体液への溶解性をコラゲナーゼの存在下での加速試験により調べた。各粒子２０ｍｇを、５μｇ／ｍＬのコラゲナーゼ／ＰＢＳ（ｐＨ＝７．４）溶液に分散し、1、２、４時間後に遠心回収し、乾燥後に重量を測定した。結果を図７に示す。同グラフに示すように、３時間の熱処理によって、創傷被覆材として適用した際に体液に溶解することなく、必要とされる初期の体液吸収を示すことができる。また、熱処理時間の増加と伴に溶解時間が長くなり、熱処理の時間により体液への溶解性を制御できることが分かった。
【００２０】
架橋度については、誘導化率に依存して架橋反応に関与できるアミノ基の数が異なり、該アミノ基が全て反応した状態として定義される架橋度１００％が異なるため、その範囲を限定することはできない。図8は、原料ゼラチンからスプレードライにより得られた粒子を１５０℃で熱処理したときの残留アミノ基量をＴＮＢＳ法で測定し、架橋により消費されたアミノ基量を求め、時間に対してプロットしたグラフである。同図から分かるように、１５０℃では、架橋は３時間迄に急速に進み、徐々に緩やかとなって、６時間で架橋可能なアミノ基量の４０％程度でほぼ頭打ちとなった。ゼラチン誘導体の場合、誘導化されずに残留しているアミノ基量がより少ないので、より反応性が低いと考えられ、３時間の熱処理により、該アミノ基量の１０〜３０％程度で頭打ちになるものと考えられる。しかし、上記実施例７の粒子のように誘導化率が７５％と高くても、３時間の熱処理によって、創傷被覆材としての使用には問題の無い耐溶解性を有し、これは疎水性のアルキル基の存在によるものと考えられる。
【００２１】
＜添加剤等＞
本発明の創傷被覆材は、各種添加剤を本発明の目的を阻害しない量で含んでよい。該添加剤としては、着色料、保存剤がある。また、各種薬剤を含んでもよく、例えば抗血栓薬、抗生物質、各種成長因子等が挙げられる。添加剤、及び薬剤は、粒子に担持させ、或いは結合させてもよい。
【００２２】
＜創傷被覆材の調製法＞
創傷被覆材の調製方法は、［１］ゼラチン誘導体調製工程、［２］スプレードライ又は乾燥後に個体状のゼラチン誘導体を機械的に粉砕することによる造粒工程、及び［３］熱処理工程を含む。以下、各工程について説明する。
【００２３】
［１］ゼラチン誘導体調製工程
（１）原料ゼラチン水性溶液の調製
出発材料のゼラチンを５〜５０ｗｔ／ｖ％となる量で、４０〜９０℃で加熱して水又は水性溶媒に溶解する。水としては、超純水、脱イオン水、蒸留水を用いることができる。水性溶媒としては、水と水溶性有機溶媒との混合物を用いる。水性溶媒としては、炭素数１〜３のアルコール、エステル等を用いることができ、好ましくはエタノールを用いる。
【００２４】
（２）誘導体化
工程（１）で得られたゼラチン溶液に、導入するアルキル基を有する誘導体化薬剤を添加し、所定時間撹拌して反応させる。該誘導体化薬剤としては、該アルキル基を有するアルデヒドもしくはケトン、例えばドデカナール、テトラデカナール、デシルエチルケトンが使用される。反応温度は３０〜８０℃、反応時間は０．５〜１２時間であり、通常、撹拌するだけでゼラチンのアミノ基にシッフ塩基（〜Ｎ＝ＣＲ１Ｒ２）を介してアルキル基が結合されたゼラチンを得ることができる。アルデヒドの使用量は、所望の誘導化率に相当する化学量論量に対して１〜４倍とする。より好ましくは、１〜２倍とする。
【００２５】
次いで、該シッフ塩基を還元して上記式（１）の構造とする。還元剤としてはシアノ水素化ホウ素ナトリウム（ＮａＢＨ３ＣＮ）、水素化トリアセトキシホウ素ナトリウム（ＮａＢＨ（ＯＡｃ）３）、２−ピコリンボラン、ピリジンボラン等の、公知の還元剤を使用することができる。これらのうち、２−ピコリンボランが好ましい。ピコリンボランは安定性があり、水性溶媒中でアルデヒドもしくはケトンの還元アミノ化反応を一段（ワンポット）で行うことが可能である。また、８０〜９０％の収率を達成することができる。２−ピコリンボランの使用量は、誘導体化薬剤の当量に対して１〜３当量であることが好ましい。なお、還元剤と、アルデヒド等を添加する順序は任意でよく、いずれを先にゼラチン溶液に添加しても、同時に添加しても構わない。
【００２６】
（３）精製
工程（２）で得られた反応溶液に、大過剰の貧溶媒、例えば冷エタノールを加えて、或いは、該反応溶液を冷エタノールに加えて、ゼラチン誘導体を沈殿させる。該沈殿を濾別した後、エタノール等で洗浄して、最終生成物を得る。
【００２７】
［２］造粒工程
＜スプレードライ法＞
粒子の形状、粒子径等は、ガスのフロー速度等多くの変量因子に依存することが見出された。主として創傷被覆材としての取扱い性の観点から、上述の粒径範囲においてできるだけ大きい、数十μオーダーの粒子を多く得ることができるよう、既に述べた原料ゼラチンの分子量に加え、ゼラチン誘導体濃度、乾燥温度、ガスのフロー速度、溶液のフロー速度等を検討した。以下、各因子について述べる。
【００２８】
スプレードライヤーは、ディスク式、ノズル式、サイクロン捕集式、フィルタ捕集式等のいずれであってもよい。
【００２９】
スプレードライは、ゼラチン誘導体を、水及び水と相溶性の有機溶媒との混合溶媒に溶解した溶液を、窒素等の不活性ガス下で噴霧して行う。有機溶媒としては、炭素数１〜３のアルコール、エステル等を用いることができ、好ましくはエタノールが使用される。水：有機溶媒の混合割合（体積）は、１０：０〜３：７であり、６：４〜４：６が好ましい。特許文献１に記載の方法ではゼラチン水溶液が使用されているが、本発明におけるゼラチン誘導体の場合、水溶液では粒子となり難く、十分な接着性も得られない。種々検討した結果、上記混合溶媒とすることによって、組織への接着力に優れた粒子が得られることが分かった。本発明を限定する趣旨ではないが、有機溶媒を用いて溶媒の蒸発速度を高めることによって、ゼラチン誘導体中のアルキル基を気液界面に集積させたために、該アルキル基が球の表面に現れるものと考えられる。
【００３０】
該溶液は、ゼラチン誘導体に水を加えて、５０〜９０℃で穏やかに撹拌しながら溶解し、得られた水溶液に有機溶媒を加えて、濃度を１〜７ｗ／ｖ％、好ましくは３〜５ｗ／ｖ％とする。溶液中の濃度が前記下限値未満では粒子を得ることが困難であり、前記上限値を超えても、粒子が回収容器に到達する前にスプレードライヤーのガラス壁に付着して濃度に見合った収率の向上が得られない。
【００３１】
乾燥温度は、１４０℃〜２２０℃、好ましくは１６０〜２００℃である。温度が前記下限値未満では粒子径が１μｍ未満となり易く、前記上限値を超えると粒子が凝集する傾向がある。
【００３２】
不活性ガスの流速は、４００〜５００L／ｈ、好ましくは４００〜４８０L／ｈである。また、ゼラチン誘導体溶液の流速は、３００〜５００ｍL／ｈ、好ましくは３５０〜４５０ｍL／ｈである。
【００３３】
＜機械的粉砕法＞
精製したゼラチン誘導体を、超純水に溶解して溶液状にし、４０〜６０℃で乾燥させることによって固体状にした後、微粉砕機、例えばローラーミル、ジェットミル、ハンマーミル等によって粉砕する。溶液状にする際に、ポリエチレングリコール等の分散媒を添加してもよい。
【００３４】
［３］熱処理工程
スプレードライ又は機械的粉砕法により得られた粒子を、加熱処理してゼラチン誘導体を架橋する。加熱温度及び時間は、原料ゼラチンの分子量、誘導化率、目的とする架橋度に応じて定義調整する必要がある。例えば原料ゼラチン分子量（Ｍｗ）が約１００,０００の場合、１４０〜１６０℃で少なくとも３時間加熱する。
【００３５】
熱処理後に、粒子の洗浄、乾燥及び篩分け、及び薬剤を担持等させる処置等を行ってもよい。
【００３６】
＜組織への適用方法＞
本発明の創傷被覆材は、呼吸器外科、なかでも肺がん手術後の創部、消化器外科、心臓血管外科、口腔外科、消化器内科等、種々の外科手術における切開口、皮膚創傷等に適用することができる。ＥＳＤの場合、止血鉗子、ステント、バルーン、内視鏡等によって、ドライの状態で適用することができる。適用量は適用部位、創傷に依存して適宜調整することができる。組織への接着強度の観点からは、後述する実施例において用いたのと同様の方法で、ブタ胃内壁組織上への粒子の適用量を１．６〜３２ｍｇ／ｃｍ２で変えて接着強度の測定を行ったところ、組織の単位面積当たり１０〜２０ｍｇ／ｃｍ２であることが好ましいことが分かった（図２）。
【実施例】
【００３７】
以下、本発明を実施例により説明するが、本発明はこれらに限定されるものではない。
＜ゼラチン誘導体の調製＞
表１に示すゼラチン誘導体を調製した。例としてゼラチン誘導体７の調製について説明する。
ブタ皮膚由来のアルカリ処理ゼラチン（Ｍｗ＝１００，０００、ｂｅＭａｔｒｉｘ（商品名）、新田ゼラチン（株）製）５ｇを、５０℃のオイルバスに浸したナス型フラスコ中の超純水５０ｍＬに加え、１時間程度撹拌しながら溶解して１０ｗｔ％水溶液を調製した。得られた水溶液に、５ｍＬのエタノール（和光純薬（株）製）に溶解した７７７ｍｇのピコリンボラン（オクタナールの約１．５倍当量に相当、純正化学（株）製）を加えた後、エタノール７０ｍＬに溶解したオクタナール（東京化成工業（株）製）を、約１００ｍＬ／ｈの速度で、ゼラチンのアミノ基に対して目標とする誘導化率７５モル％の約３倍当量に相当する６２１ｍｇを滴下した。ナス型フラスコに還流冷却器を取り付け、攪拌しながら５０℃で１７時間反応させた後、オイルバスからナス型フラスコを取り出し、エバポレーターによって４０℃でエタノールを留去した。得られた反応溶液を、氷浴に浸したビーカー中の１Ｌのエタノールに滴下し再沈殿させた。１時間攪拌後、冷凍庫にて１時間静置した後、ガラスフィルターでろ過した。ろ過残渣を、再びビーカー中の１Ｌのエタノールに滴下し再沈殿させ、１時間攪拌後、冷凍庫にて１時間静置した。再びガラスフィルターでろ過した後、ろ過残渣を減圧乾燥器で一晩以上乾燥させ、オクチル基が導入されたゼラチン誘導体を８３％の収率で得た。【００３８】
得られたゼラチン誘導体における、オクチル基の導入率を以下の手法によって行った。原料ゼラチンおよびゼラチン誘導体を各々０．１ｗ／ｖ％で水・ＤＭＳＯ混合溶媒（体積比１：１、以下同様）に溶解し、４８ウェルプレートに１００μＬ分注した。そこへ水・ＤＭＳＯ混合溶媒に溶解した０．１ｖ／ｖ％のトリエチルアミン（ＴＥＡ、ナカライテスク社製）を１００μＬ加え、プレートシェーカーで４００ｒｐｍ、１分間撹拌した。さらに、水・ＤＭＳＯ混合溶媒に溶解した０．１ｗ／ｖ％トリニトロベンゼンスルホン酸（ＴＮＢＳ、和光純薬（株）製）を１００μＬ加え、プレートシェーカーで４００ｒｐｍ、１分間撹拌した。アルミホイルで遮光し、３７℃のインキュベーター内で２時間静置した後、インキュベーターから取り出し６ＮＨＣｌを５０μＬ加えて反応を停止し、プレートシェーカーで４００ｒｐｍ、１分間撹拌した。遮光して１０分間静置後、３４０ｎｍの吸光度（Ａｂｓ）を吸光度計（ＴＥＣＡＮ社製、Ｓｐａｒｋ  １０Ｍ−ＮＭＳＴ）で測定した。測定された吸光度から、ゼラチンを含まない点でのみ異なるブランク試料の吸光度を引き、以下の計算式によって、ゼラチン誘導体のオクチル基導入率が７５モル％であることを求めた。
導入率（％）＝［Ａｂｓ（原料ゼラチン）−Ａｂｓ（ゼラチン誘導体）］／［Ａｂｓ（原料ゼラチン）］×１００【００３９】
得られたゼラチン誘導体の１３Ｃ−ＮＭＲおよびＦＴ−ＩＲを測定した。１３Ｃ−ＮＭＲは、ゼラチン誘導体及び原料ゼラチンを、各々２０ｗｔ％で重水（内部標準として3-(トリメチルシリル)-1-プロパンスルホン酸ナトリウムを含む）に溶解し、５０℃で測定を行った。図３に、得られた１３Ｃ−ＮＭＲスペクトルを示す。該ゼラチン誘導体には、１７−１７．５ｐｐｍ付近に第一級炭素に由来するピークが観測されたことから、ゼラチンにオクチル基が導入されていることが確認された。ＦＴ−ＩＲ測定は、ゼラチン誘導体粉末を試料台にのせ直接測定した。図４に、ＦＴ−ＩＲスペクトルの２５００〜３５００ｃｍ−１の部分を示す。メチル基の伸縮振動に由来するピーク（２８６８ｃｍ−１）およびメチレン基の伸縮振動に由来するピーク（２９２９ｃｍ−１）、Ｎ−Ｈ伸縮振動に由来するピーク（３２９９ｃｍ−１）を確認した。【００４０】
オクタナールに代えてエタナール、ブタナール、ヘキサナール、又はウンデカナールを、目的とする誘導化率に応じた量で用いたことを除き、上述の方法と同様の方法で、他のゼラチン誘導体を調製した。いずれも収率８０〜９０％であった。なお表１等において、例えば「７５Ｃ８」は置換率７５％でＣ８アルデヒドによって置換されたゼラチン（式（１）においてＲ１がヘプチル基であり、Ｒ２が水素原子）を表す。【００４１】
【表１】
2019045081.tif 000002
【００４２】
＜スプレードライ＞
（１）ゼラチン誘導体を５０℃で超純水に溶解し、６ｗｔ％水溶液を調製した。
（２）該水溶液に同体積のエタノールを加えて、３ｗｔ％溶液とした。
（３）該溶液の温度を５０℃に維持し、スプレードライヤー装置（ミニスプレードライヤー、Ｂ−２９０、ビュッヒ社製）に設置し、１８０℃で、窒素ガスの流速４４０Ｌ／ｈ、該溶液の流速４１０ｍＬ／ｈで、スプレードライし、粒子を得た。スプレードライ後熱処理前の、ゼラチン誘導体７から得られた粒子のＳＥＭ画像を図５に示す。比較例として誘導化しないゼラチンも同様にスプレードライした。【００４３】
＜熱処理＞
図６、７に関し上述した熱処理に関する検討結果に基づき、粒子を１５０℃で３時間熱処理した。【００４４】
ゼラチン誘導体１〜６、８及び原料ゼラチンについても同じ条件でスプレードライ及び熱処理（１５０℃、３時間）を行い、各粒子を作った。【００４５】
図１にゼラチン誘導体７から得られた粒子のＳＥＭ画像を示す。粒子は略真球状であり、画像解析の結果、その径は約１μｍ〜１０００μｍの範囲に分布し、最頻粒子径は１０〜２０μｍであった。【００４６】
＜粒子とブタ胃内壁組織との接着強度測定＞
ブタ胃（芝浦臓器）の内壁組織を用いて接着試験を行った。試験方法は、米国試験材料協会の規格（ＡＳＴＭ  Ｆ−２２５８−０５）に従って行った。ブタ胃を開き、粘膜層を取り除いた。この際、生理食塩水を粘膜下組織へ注入し、隆起した部分を取り除くことで粘膜下組織をある程度のこした状態で粘膜層のみを切除した。得られた組織を２．５ｃｍ四方の組織片へと裁断し、試験装置の上下の治具それぞれに瞬間接着剤を用いて固定した。ホットプレートを用いることで測定中のブタ胃内壁組織の温度を３７℃に保った。キムワイプで該組織表面の余分な水分を取り除き、該組織上に１００ｍｇ（１６ｍｇ／ｃｍ２）のゼラチン粒子をのせた。上部の治具によって８０ｋＰａで３分間圧着した後、上部へと引っ張り上げることで接着力を測定した。比較例１として原料ゼラチンから得られた粒子を、比較例２として、ＮＥＯＶＥＩＬ（商標）を用いた。コントロールは、何も試料が無いブランク値である。結果を表２及び図９に示す。【００４７】
【表２】
2019045081.tif 000003
【００４８】
＜止血効果＞
５ｍＬのバイアルにラット（Ｗｉｓｔａｒ、６週齢、メス）から採取した全血１ｍＬを入れ、そこに５０ｍｇの実施例７（７５Ｃ８）粒子を添加して軽く混合した後、静置した。コントロールとして何も添加しない全血を用いた。混合から３分後、コントロールが凝固していないのに対して、７５Ｃ８粒子を含む試料では血液凝固が確認された。このことから、本発明におけるゼラチン誘導体粒子には止血効果があることが示された。【００４９】
＜接触角測定によるゼラチン誘導体粒子の疎水性評価＞
実施例１（Ｃ２）、実施例２（Ｃ４）、実施例３（Ｃ６）、実施例６（Ｃ８）、実施例８（Ｃ１２）及び比較例１（ＯＲＧ）、の各粒子約１００ｍｇをスライドガラス上に置き、上から別のスライドガラスを置いて、手で粒子を圧縮することによってペレットを作製した。接触角測定装置（ＤＭ−７００，ＫＹＯＷＡ）を用いてペレットの表面上に超純水の液滴を滴下し、２００秒後に液滴と基板の間の角度を測定した。結果を図１０に示す。【００５０】
図１０に示すとおり、比較例１は接触角が４６度と親水的な表面を有する材料であったのに対して、実施例のゼラチン粒子においては、修飾するアルキル基の鎖長の増加に伴った接触角の増加が確認された。特に、Ｃ６からＣ１２においては、接触角が１００度を超える疎水的な表面が見られた。つまり、より疎水性の高い基で修飾することで、より疎水的な表面を有する粒子が作製できることが明らかとなった。 【００５１】
＜細胞生存率評価＞
マウス由来マクロファージ様細胞であるＲＡＷ２６４細胞を用いて、ゼラチン誘導体粒子が細胞生存率に与える影響を評価した。９６ウェルプレートに６ｘ１０４  ｃｅｌｌｓ／ｃｍ２の密度でＲＡＷ２６４細胞を播種し、ＲＰＭＩ１６４０培地（１０％ウシ胎児血清、１％非必須アミノ酸、１％抗生物質）中で３７℃、５％ＣＯ２のインキュベーターで２４時間培養した。０．６２５、１．２５、２．５、５、１０ｍｇ／ｍＬの濃度で上記培地中に分散させた実施例１（Ｃ２）、実施例２（Ｃ４）、実施例３（Ｃ６）、実施例６（Ｃ８）、実施例８（Ｃ１２）及び比較例１（ＯＲＧ）の各粒子を１００μＬずつ細胞に加え、２４時間培養した。その後、細胞数定量キット（ＷＳＴ−８、同仁化学）によって細胞数を定量した。粒子を加えないウェル中の細胞数を１００％としたときの各サンプルの細胞数をグラフ（図１１）に示した。【００５２】
実施例１（Ｃ２）、実施例２（Ｃ４）、実施例３（Ｃ６）、実施例６（Ｃ８）及び比較例１（ＯＲＧ）の粒子を加えたサンプルにおいては、すべての濃度範囲で高い細胞数を示しており、高い細胞適合性が確認された。一方で、実施例８（Ｃ１２）の粒子においては、２．５ｍｇ／ｍＬ以上の濃度において細胞数の減少が確認された。ここから、アルキル鎖中が長い粒子は比較的低い濃度で創傷に適用することが好ましいといえる。【００５３】
＜ゼラチン誘導体粒子が細胞増殖に与える影響＞
創傷治癒には、上皮細胞が新たに増殖することで創部を閉鎖する上皮化プロセスが含まれる。そこで、ゼラチン誘導体粒子が細胞増殖に与える影響を評価するために、ヒト結腸癌由来細胞株であるＣａｃｏ−２細胞の、ゼラチン粒子からなるフィルム上での増殖挙動を評価した。実施例１（Ｃ２）、実施例２（Ｃ４）、実施例３（Ｃ６）、実施例６（Ｃ８）、実施例８（Ｃ１２）及び比較例１（ＯＲＧ）の粒子を０．２ｍｇ／ｍＬの濃度で夫々超純水に懸濁し、９６ウェルプレートに１００μＬずつ添加した後、超純水を蒸発させることで粒子からなるフィルムを作製した。該フィルムを１時間のＵＶ照射によって滅菌した後に該フィルム上に６ｘ１０３ｃｅｌｌｓ／ｃｍ２の密度でＣａｃｏ−２細胞を播種し、ＤＭＥＭ培地（２０％ウシ胎児血清、１％非必須アミノ酸、１％抗生物質）中で３７℃、５％ＣＯ２のインキュベーターで２４時間培養した。その後、細胞数定量キット（ＷＳＴ−８、同仁化学）によって細胞数を定量した。結果を図１２に示す。【００５４】
図１２から分かるように実施例１（Ｃ２）、実施例２（Ｃ４）、実施例３（Ｃ６）及び比較例１（ＯＲＧ）の粒子からなるフィルム上で細胞は増殖し、特に実施例２（Ｃ４）及び実施例３（Ｃ６）の粒子においては、比較例１より顕著に高い増殖性を示し、上皮化プロセスを促進する可能性が示された。一方で、実施例６（Ｃ８）、実施例８（Ｃ１２）の粒子からなるフィルム上では、Ｃａｃｏ−２の増殖は抑制された。これは、上記細胞生存率評価の結果を考慮すると、フィルム上のアルキル鎖の粒子密度が影響している可能性がある。【００５５】
＜ゼラチン誘導体粒子がサイトカイン産生に与える影響＞
細胞数の定量に代えて、２４時間培養後の上清を回収し、ＥＬＩＳＡアッセイキット（Ｒ＆Ｄｓｙｓｔｅｍｓ）を用いてマウスＩＬ−６の産生量を定量した点を除き、細胞生存率評価における手順と同様の手順でマウスＩＬ−６の産生量を定量した。結果を図１３に示す。同図において、「ＣＴＲ」は粒子を添加しなかった試料を表す。図１３に示すとおり、実施例６（Ｃ８）、実施例８（Ｃ１２）粒子の存在下で、ＩＬ−６の産生が見られ、特に、実施例８（Ｃ１２）の粒子で多く産生されていた。ＩＬ−６は望ましくない炎症状態からの回復に関与する急性期反応における発熱や血管新生などに関与し、様々な生理学的活性がある。実施例６（Ｃ８）、実施例８（Ｃ１２）の粒子を用いることで、創傷の治癒を促進することが期待される。【００５６】
＜創傷治癒効果＞
本粒子の創傷治癒促進効果を確認するために、ラットを用いた動物実験を行った。イソフルランを用いた吸入麻酔下において、ラット（メス、７週齢）の背部に８ｍｍのデルマパンチを用いることで皮膚全層欠損を作製した。そこに、実施例２（Ｃ４）、実施例３（Ｃ６）、実施例６（Ｃ８）、実施例８（Ｃ１２）及び比較例１（ＯＲＧ）の粒子を１０ｍｇずつ塗布した。コントロール（ＣＴＲ）として、粒子を塗布していないサンプルも作製した。その上にシリコーンシートをのせ、テープで固定することによって、サンプルを安定に保持した。７日後および１４日後の創傷部の写真撮影（図１４上段）と面積測定を行い（図１４下段）、７日後のサンプルに関しては組織切片観察を行った（図１５）。【００５７】
図１４に示すとおり、７日目においては、実施例８（Ｃ１２）がＣＴＲとほぼ同程度の創部の閉鎖が見られたことを除き、いずれの実施例においても顕著に創傷の残存面積が大きかった。創傷治癒においては、炎症反応が終わらないうちに急激に創部の閉鎖が起こると、狭窄の原因にもなる瘢痕拘縮を引き起こすため、創部の残存面積は大きい方が好ましい。本発明の粒子を塗布することで、残存面積が大きくなり、瘢痕拘縮が抑制されることが示された。１４日目においては、すべとのサンプルにおいて創部の閉鎖が確認された。【００５８】
７日後の組織切片観察を行うことで炎症レベルを評価した。過剰量のソムノペンチルを用いることでラットを屠殺し、創傷部の組織を回収した。パラフィン包埋後、薄切切片を作製し、炎症による発現する蛋白質である、α−平滑筋アクチン（α−ｓｍｏｏｔｈ  ｍｕｓｃｌｅ  ａｃｔｉｎ：α−ＳＭＡ）を染色して観察を行った。α−ＳＭＡ陽性部の面積の定量は、画像処理ソフト（ＩｍａｇｅＪ）を用いて行った。図１５下段のグラフに示すように、創部の閉鎖についてはＣＴＲとほぼ同程度であった実施例８（Ｃ１２）も含め、いずれの実施例の粒子もＣＴＲよりもα−ＳＭＡの発現を抑制していることが明らかとなった。これらの結果より、本発明の粒子を創傷被覆材として用いることで、炎症反応を抑制し、創傷治癒を促進できることが期待される。【００５９】
＜機械的粉砕による粒子の調製＞
ブタ皮膚由来のアルカリ処理ゼラチンに代えて、アルカリ処理されたスケトウダラゼラチン（Ｍｗ＝３０ｋＤａ、新田ゼラチン（株）製、以下「タラゼラチン」と略す。）を用い、約２倍当量のオクタナールを用いた点を除き、実施例１〜８と同様の手順でゼラチン誘導体を合成した。導入率は５８％であった（５８Ｃ８）。得られたゼラチン誘導体を超純水に溶解し、２０ｗｔ％および３０ｗｔ％の溶液を調製し、テフロン（登録商標）トレイに入れて４０℃で加熱することで乾燥させ、個体状のゼラチン誘導体を得た。この際、分散媒の有無を評価するために、風乾の前に１％のポリエチレングリコール（ＰＥＧ、Ｍｗ＝１５００Ｄａ）を添加したサンプルも併せて調製した。風乾後の固体状のゼラチン誘導体を、粉砕機（Ｗｏｎｄｅｒ  Ｃｒｕｓｈｅｒ）を用いて、１分間の粉砕を３回繰り返した。最後に減圧下、１５０ｏＣ、３時間の熱架橋処理を行った。得られた粒子はＳＥＭ画像（図１６）に示すように、２０〜５０μｍ程度の粒径を持つ粒子であった。ＰＥＧの有無による粒径の有意差は認められなかった。【００６０】
実施例１等と同様に、豚胃内壁組織との接着強度を測定した。結果を図１７に示す。接着試験の結果より、タラゼラチンはブタゼラチンと同等の接着強度を有していることが明らかとなった（１５〜２０ｋＰａ）。また、分散媒を使用しなくても、乾燥及び粉砕処理によって接着強度に優れる粒子を得られることが分かった。
【産業上の利用可能性】
【００６１】
本発明の創傷被覆材は、内視鏡的粘膜剥離術等の外科手術後の創部、血管吻合部等への適用に大変有用である。
【図１】
2019045081.tif 000004
【図２】
2019045081.tif 000005
【図３】
2019045081.tif 000006
【図４】
2019045081.tif 000007
【図５】
2019045081.tif 000008
【図６】
2019045081.tif 000009
【図７】
2019045081.tif 000010
【図８】
2019045081.tif 000011
【図９】
2019045081.tif 000012
【図１０】
2019045081.tif 000013
【図１１】
2019045081.tif 000014
【図１２】
2019045081.tif 000015
【図１３】
2019045081.tif 000016
【図１４】
2019045081.tif 000017
【図１５】
2019045081.tif 000018
【図１６】
2019045081.tif 000019
【図１７】
2019045081.tif 000020
【国際調査報告】
2019045081.tif 000021
2019045081.tif 000022
2019045081.tif 000023
2019045081.tif 000024